(57)【要約】  本発明のリフレクタは、光源が出射する光を反射するリフレクタ本体と、前記リフレクタ本体に設けられ、前記光源が出射する光により励起する蛍光体を含む蛍光体層と、を備える。
2020162260.tif 000002
【特許請求の範囲】
【請求項１】
光源が出射する光を反射するリフレクタ本体と、
前記リフレクタ本体に設けられ、前記光源が出射する光により励起する蛍光体を含む蛍光体層と、
を備えるリフレクタ。
【請求項２】
前記蛍光体は、Ｅｕを含有するα型サイアロン蛍光体、Ｅｕを含有するβ型サイアロン蛍光体、Ｅｕを含有するＣＡＳＮ蛍光体及びＥｕを含有するＳＣＡＳＮ蛍光体からなる群から選ばれる少なくとも一種以上の蛍光体である、
請求項１に記載のリフレクタ。
【請求項３】
請求項１又は２に記載のリフレクタと、
前記リフレクタに反射され、かつ、前記蛍光体を励起させる光を出射する光源と、
を備える照射装置。
【請求項４】
前記リフレクタが反射した光を更に反射する、又は、前記光源が出射した光を前記リフレクタに向けて反射する他のリフレクタ、
を備える請求項３に記載の照射装置。
【請求項５】
前記他のリフレクタは、前記リフレクタが反射した光を更に反射するリフレクタであり、
前記リフレクタにおける光の反射面の面積は、前記他のリフレクタにおける光の反射面の面積よりも小さい、
請求項４に記載の照射装置。
【請求項６】
光源と、
定められた反射位置に配置されて前記光源が出射する光を反射する第１リフレクタと、
前記反射位置に配置されて前記光源が出射する光を反射する第２リフレクタと、
前記第１リフレクタ及び前記第２リフレクタを移動させる移動部であって、前記第１リフレクタ及び前記第２リフレクタの一方が前記反射位置に配置されかつ他方が前記反射位置と異なる非反射位置に配置されている第１状態と、前記一方が前記非反射位置に配置されかつ前記他方が前記反射位置に配置されている第２状態とを切り替え可能な移動部と、
を備え、
前記第１リフレクタは、前記光源が出射する光により励起する第１蛍光体を含む第１蛍光体層を有し、
前記第２リフレクタは、前記光源が出射する光により励起する第２蛍光体であって励起光の発光ピーク波長が前記第１蛍光体の励起光の発光ピーク波長と異なる第２蛍光体を含む第２蛍光体層を有する、
照射装置。
【請求項７】
光源と、
定められた反射位置に配置されて前記光源が出射する光を反射する第１リフレクタと、
前記反射位置に配置されて前記光源が出射する光を反射する第２リフレクタと、
前記第１リフレクタ及び前記第２リフレクタを移動させる移動部であって、前記第１リフレクタ及び前記第２リフレクタの一方が前記反射位置に配置されかつ他方が前記反射位置と異なる非反射位置に配置されている第１状態と、前記一方が前記非反射位置に配置されかつ前記他方が前記反射位置に配置されている第２状態とを切り替え可能な移動部と、
を備え、
前記第１リフレクタ及び前記第２リフレクタの一方のみが、前記光源が出射する光により励起する蛍光体を含む蛍光体層を有する、
照射装置。
【請求項８】
光源と、
定められた反射位置に配置されて前記光源が出射する光を反射する第１リフレクタと、
前記反射位置に配置されて前記光源が出射する光を反射する第２リフレクタと、
前記第１リフレクタ及び前記第２リフレクタを移動させる移動部であって、前記第１リフレクタ及び前記第２リフレクタの一方が前記反射位置に配置されかつ他方が前記反射位置と異なる非反射位置に配置されている第１状態と、前記一方が前記非反射位置に配置されかつ前記他方が前記反射位置に配置されている第２状態とを切り替え可能な移動部と、
を備え、
前記第１リフレクタ及び前記第２リフレクタの一方のみが、前記光源が出射する光により励起する蛍光体を含む蛍光体層を有し、
前記第１リフレクタ及び前記第２リフレクタの一方は、前記光源が出射する光により励起する蛍光体を含む蛍光体層を有することで、前記光源が出射する光の波長を前記蛍光体の発光色の波長側の波長にシフトして反射し、
前記第１リフレクタ及び前記第２リフレクタの他方は、前記光源が出射する光の波長をシフトすることなく反射する、
照射装置。
【請求項９】
前記蛍光体は、前記光源が出射する光の波長を前記波長よりも長い波長にシフトさせる、
請求項８に記載の照射装置。
【請求項１０】
車両のヘッドランプとして使用され、
前記第１状態では、前記蛍光体層を有する前記第１リフレクタ及び前記第２リフレクタの一方が前記非反射位置に配置され、
前記第２状態では、前記蛍光体層を有する前記第１リフレクタ及び前記第２リフレクタの一方が前記反射位置に配置され、
前記第１状態は、走行空間に霧が発生していない通常時に使用され、
前記第２状態は、走行空間に霧が発生している異常時に使用される、
請求項９に記載の照射装置。
【請求項１１】
前記第１リフレクタは、前記光源が出射する光を反射する第１反射部を有し、
前記第２リフレクタは、前記光源が出射する光を反射する第２反射部を有し、
前記第１反射部と前記第２反射部とは、それぞれ、前記光源が出射する光を反射する反射体における異なる部分で構成されている、
請求項６〜１０のいずれか１項に記載の照射装置。
【請求項１２】
前記第１リフレクタと前記第２リフレクタとは、互いの反射面が前記反射体の同一面に形成されていることで並んで配置され、
前記移動部は、前記第１リフレクタと前記第２リフレクタとが並ぶ直線方向に沿って前記反射体を往復移動させることで、前記第１状態と前記第２状態とを切り替える、
請求項１１に記載の照射装置。
【請求項１３】
前記第１リフレクタと前記第２リフレクタとは、互いの反射面が前記反射体の同一面に形成されていることで並んで配置され、
前記移動部は、前記第１リフレクタと前記第２リフレクタとが並ぶ円周方向に沿って前記反射体を回転させて往復移動させることで、前記第１状態と前記第２状態とを切り替える、
請求項１１に記載の照射装置。
【発明の詳細な説明】
【技術分野】
【０００１】
本発明は、リフレクタ及び照射装置に関する。
【背景技術】
【０００２】
例えば、光源が出射した光を、リフレクタを用いて反射させる技術が知られている。このような技術の１つとして、例えば、特許文献１には、光源と、光源を取り囲む反射面部であるリフレクタとを備える車両用フォグランプ１４が開示されている。そして、このリフレクタは前方に開口を有するカップ状の形状とされており、その内面にはメッキ加工又は塗装加工された反射面を有することが記載されている。また、リフレクタの基本的な機能は、光源から放射された光を所定の角度に反射することにあると記載されている。さらに、リフレクタは、例えば一体に射出成形された樹脂材料から成ることが記載されている。
【先行技術文献】
【特許文献】
【０００３】
【特許文献１】特開２０１５−１３７０７１号公報
【発明の概要】
【発明が解決しようとする課題】
【０００４】
ところで、特許文献１に開示されているリフレクタは、光源が出射した光を反射させる際に、反射させる光の波長を変更することはできない。【０００５】
本発明は、光源が出射した光と異なる波長の光を反射することができるリフレクタの提供を目的とする。
【課題を解決するための手段】
【０００６】
本発明の第１態様のリフレクタは、光源が出射する光を反射するリフレクタ本体と、前記リフレクタ本体に設けられ、前記光源が出射する光により励起する蛍光体を含む蛍光体層と、を備える。【０００７】
本発明の第２態様のリフレクタは、第１態様のリフレクタにおいて、前記蛍光体は、Ｅｕを含有するα型サイアロン蛍光体、Ｅｕを含有するβ型サイアロン蛍光体、Ｅｕを含有するＣＡＳＮ蛍光体及びＥｕを含有するＳＣＡＳＮ蛍光体からなる群から選ばれる少なくとも一種以上の蛍光体である。【０００８】
本発明の第１態様の照射装置は、第１態様又は第２態様のリフレクタと、前記リフレクタに反射され、かつ、前記蛍光体を励起させる光を出射する光源と、を備える。【０００９】
本発明の第２態様の照射装置は、第１態様の照射装置において、前記リフレクタが反射した光を更に反射する、又は、前記光源が出射した光を前記リフレクタに向けて反射する他のリフレクタ、を備える。【００１０】
本発明の第３態様の照射装置は、第２態様の照射装置において、前記他のリフレクタは、前記リフレクタが反射した光を更に反射するリフレクタであり、前記リフレクタにおける光の反射面の面積は、前記他のリフレクタにおける光の反射面の面積よりも小さい。【００１１】
本発明の第４態様の照射装置は、光源と、定められた反射位置に配置されて前記光源が出射する光を反射する第１リフレクタと、前記反射位置に配置されて前記光源が出射する光を反射する第２リフレクタと、前記第１リフレクタ及び前記第２リフレクタを移動させる移動部であって、前記第１リフレクタ及び前記第２リフレクタの一方が前記反射位置に配置されかつ他方が前記反射位置と異なる非反射位置に配置されている第１状態と、前記一方が前記非反射位置に配置されかつ前記他方が前記反射位置に配置されている第２状態とを切り替え可能な移動部と、を備え、前記第１リフレクタは、前記光源が出射する光により励起する第１蛍光体を含む第１蛍光体層を有し、前記第２リフレクタは、前記光源が出射する光により励起する第２蛍光体であって励起光の発光ピーク波長が前記第１蛍光体の励起光の発光ピーク波長と異なる第２蛍光体を含む第２蛍光体層を有する。【００１２】
本発明の第５態様の照射装置は、光源と、定められた反射位置に配置されて前記光源が出射する光を反射する第１リフレクタと、前記反射位置に配置されて前記光源が出射する光を反射する第２リフレクタと、前記第１リフレクタ及び前記第２リフレクタを移動させる移動部であって、前記第１リフレクタ及び前記第２リフレクタの一方が前記反射位置に配置されかつ他方が前記反射位置と異なる非反射位置に配置されている第１状態と、前記一方が前記非反射位置に配置されかつ前記他方が前記反射位置に配置されている第２状態とを切り替え可能な移動部と、を備え、前記第１リフレクタ及び前記第２リフレクタの一方のみが、前記光源が出射する光により励起する蛍光体を含む蛍光体層を有する。【００１３】
本発明の第６態様の照射装置は、光源と、定められた反射位置に配置されて前記光源が出射する光を反射する第１リフレクタと、前記反射位置に配置されて前記光源が出射する光を反射する第２リフレクタと、前記第１リフレクタ及び前記第２リフレクタを移動させる移動部であって、前記第１リフレクタ及び前記第２リフレクタの一方が前記反射位置に配置されかつ他方が前記反射位置と異なる非反射位置に配置されている第１状態と、前記一方が前記非反射位置に配置されかつ前記他方が前記反射位置に配置されている第２状態とを切り替え可能な移動部と、を備え、前記第１リフレクタ及び前記第２リフレクタの一方のみが、前記光源が出射する光により励起する蛍光体を含む蛍光体層を有し、前記第１リフレクタ及び前記第２リフレクタの一方は、前記光源が出射する光により励起する蛍光体を含む蛍光体層を有することで、前記光源が出射する光の波長を前記蛍光体の発光色の波長側の波長にシフトして反射し、前記第１リフレクタ及び前記第２リフレクタの他方は、前記光源が出射する光の波長をシフトすることなく反射する。【００１４】
本発明の第７態様の照射装置は、第６態様の照射装置において、前記蛍光体は、前記光源が出射する光の波長を前記波長よりも長い波長にシフトさせる。【００１５】
本発明の第８態様の照射装置は、第７態様の照射装置において、車両のヘッドランプとして使用され、前記第１状態では、前記蛍光体層を有する前記第１リフレクタ及び前記第２リフレクタの一方が前記非反射位置に配置され、前記第２状態では、前記蛍光体層を有する前記第１リフレクタ及び前記第２リフレクタの一方が前記反射位置に配置され、前記第１状態は、走行空間に霧が発生していない通常時に使用され、前記第２状態は、走行空間に霧が発生している異常時に使用される。【００１６】
本発明の第９態様の照射装置は、第４〜第８態様の照射装置において、前記第１リフレクタは、前記光源が出射する光を反射する第１反射部を有し、前記第２リフレクタは、前記光源が出射する光を反射する第２反射部を有し、前記第１反射部と前記第２反射部とは、それぞれ、前記光源が出射する光を反射する反射体における異なる部分で構成されている。【００１７】
本発明の第１０態様の照射装置は、第９態様の照射装置において、前記第１リフレクタと前記第２リフレクタとは、互いの反射面が前記反射体の同一面に形成されていることで並んで配置され、前記移動部は、前記第１リフレクタと前記第２リフレクタとが並ぶ直線方向に沿って前記反射体を往復移動させることで、前記第１状態と前記第２状態とを切り替える。【００１８】
本発明の第１１態様の照射装置は、第９態様の照射装置において、前記第１リフレクタと前記第２リフレクタとは、互いの反射面が前記反射体の同一面に形成されていることで並んで配置され、前記移動部は、前記第１リフレクタと前記第２リフレクタとが並ぶ円周方向に沿って前記反射体を回転させて往復移動させることで、前記第１状態と前記第２状態とを切り替える。
【発明の効果】
【００１９】
本発明の第１及び第２態様のリフレクタは、光源が出射した光と異なる波長の光を反射することができる。【００２０】
また、本発明の第１〜第１１態様の照射装置は、光源が出射した光と異なる波長の光を照射することができる。
【図面の簡単な説明】
【００２１】
【図１】本実施形態の照射装置の概略図である。
【図２】図１の破線Ａで囲まれた部分の拡大図である。
【図３】本実施形態の照射装置による照射動作を説明するための概略図である。
【図４】第１変形例の照射装置の概略図である。
【図５】第２変形例の照射装置の概略図である。
【図６Ａ】第２変形例の照射装置の１次リフレクタ及び光源を高さ方向上側から見た図である。
【図６Ｂ】第２変形例の照射装置の１次リフレクタ及び光源を照射方向上流側から見た図である。
【図７Ａ】第４変形例の照射装置の１次リフレクタ及び光源を高さ方向上側から見た図である。
【図７Ｂ】第４変形例の照射装置の１次リフレクタ及び光源を照射方向上流側から見た図である。
【発明を実施するための形態】
【００２２】
＜概要＞
以下、本実施形態の照射装置１０（図１参照）の機能及び構成について説明する。次いで、本実施形態の照射装置１０による照射動作について説明する。次いで、本実施形態の効果について説明する。なお、以下の説明において参照するすべての図面において、同様な構成要素には同様の符号を付し、適宜説明を省略する。
【００２３】
＜本実施形態の照射装置の機能及び構成＞
以下、本実施形態の照射装置１０について、図１〜図３を参照しながら説明する。ここで、図１は、本実施形態の照射装置１０の概略図である。図２は、図１の破線Ａで囲まれた部分（後述する１次リフレクタ６０の一部）の拡大図である。図３は、本実施形態の照射装置１０による照射動作を説明するための概略図である。なお、図１〜図３は、それぞれ、照射装置１０から照射される光Ｌの照射方向（図中のＸ方向）に対する縦断面図を示している。また、照射装置１０の幅方向をＹ方向、高さ方向をＺ方向とする。
【００２４】
本実施形態の照射装置１０は、光源２０が出射した光Ｌ（図３参照）を１次リフレクタ６０及び２次リフレクタ７０で反射させて、外部に向けて光Ｌを照射する機能を有する。本実施形態の照射装置１０は、一例として、車両（図示省略）用のフォグランプ、車両用のヘッドランプ、室内用の照明、室外用の照明その他の光を照射する装置に適用可能とされている。
【００２５】
本実施形態の照射装置１０は、図１及び図３に示されるように、光源２０と、支持台３０と、筐体４０と、カバー部材５０と、１次リフレクタ６０（リフレクタの一例）と、２次リフレクタ７０（他のリフレクタの一例）と、フィニッシャー８０と、シェード９０とを備えている。
【００２６】
〔光源及び支持台〕
光源２０は、１次リフレクタ６０及び２次リフレクタ７０が反射する光Ｌを出射する機能を有する。光源２０は、一例として、発光ダイオード（Light emitting diode、いわゆるＬＥＤ）により光を出射するＬＥＤ光源とされている。
光源２０は、図１及び図３に示されるように、支持台３０に支持されている。そのため、支持台３０は、光源２０を支持する機能を有する。なお、支持台３０は、上記の機能の他に、光源２０が光Ｌの出射に伴い発生させる熱を放熱するヒートシンクとしての機能も有する。
【００２７】
〔筐体〕
筐体４０は、支持台３０、カバー部材５０、１次リフレクタ６０、２次リフレクタ７０、フィニッシャー８０及びシェード９０（以下、支持対象という。）がそれぞれ定められた姿勢で定められた位置に位置するように（図１及び図３参照）支持する機能を有する。なお、例えば、本実施形態の照射装置１０がフォグランプである場合、筐体４０は、上記の支持対象を支持しつつ、車両（図示省略）に取り付けられるようになっている。
【００２８】
〔カバー部材〕
カバー部材５０は、支持台３０及び筐体４０とともに、光源２０、１次リフレクタ６０、２次リフレクタ７０、フィニッシャー８０及びシェード９０を収容するための閉空間を形成する機能を有する。また、カバー部材５０は、光源２０が出射した後に２次リフレクタ７０が反射した光Ｌを、上記の閉空間の内部から外部に透過させる機能を有する。そのため、カバー部材５０は、光Ｌを透過可能な透明な部材とされている。
【００２９】
〔１次リフレクタ〕
１次リフレクタ６０は、光源２０が出射する光Ｌを反射する機能を有する（図３参照）。具体的には、１次リフレクタ６０は、光源２０が出射して直接的に入射する光Ｌの波長を変換したうえで、波長が変換した光Ｌを２次リフレクタ７０に向けて反射する機能を有する。
【００３０】
１次リフレクタ６０は、一例として、楕円型のリフレクタとされている。１次リフレクタ６０は、図１及び図３に示されるように、凹面６２（図２参照）側を光源２０に向けた姿勢で配置されている。
【００３１】
１次リフレクタ６０は、図２に示されるように、リフレクタ本体６４と、蛍光体層６６とを備えている。蛍光体層６６は、リフレクタ本体６４の凹面上に設けられた薄層とされている。なお、蛍光体層６６は、一例としてリフレクタ本体６４の凹面の全域に亘って当該凹面を被覆している。
【００３２】
本実施形態の蛍光体層６６は、一例として、後述する蛍光体とバインダーとを含んで構成されている。蛍光体層６６に含まれる蛍光体は、バインダーに分散された状態で保持されている微粒子とされ、光源２０が出射する光Ｌにより励起して蛍光を発する性質を有している。
【００３３】
（蛍光体の具体例）
ここで、本実施形態の蛍光体層６６に含まれる蛍光体は、一例として、Ｅｕを含有するα型サイアロン蛍光体、Ｅｕを含有するβ型サイアロン蛍光体、Ｅｕを含有するＣＡＳＮ蛍光体及びＥｕを含有するＳＣＡＳＮ蛍光体からなる群から選ばれる少なくとも一種以上の蛍光体とされている。
【００３４】
Ｅｕを含有するα型サイアロン蛍光体は、一般式：ＭｘＥｕｙＳｉ１２−（ｍ＋ｎ）Ａｌ（ｍ＋ｎ）ＯｎＮ１６−ｎで表される。上記一般式中、ＭはＬｉ、Ｍｇ、Ｃａ、Ｙ及びランタニド元素（ただし、ＬａとＣｅを除く）からなる群から選ばれる、少なくともＣａを含む１種以上の元素であり、Ｍの価数をａとしたとき、ａｘ＋２ｙ＝ｍであり、ｘが０＜ｘ≦１．５であり、０．３≦ｍ＜４．５、０＜ｎ＜２．２５である。
【００３５】
Ｅｕを含有するβ型サイアロン蛍光体は、一般式：Ｓｉ６−ｚＡｌｚＯｚＮ８−ｚ（ｚ＝０．００５〜１）で表されるβ型サイアロンに発光中心として二価のユーロピウム（Ｅｕ２＋）を固溶した蛍光体である。
【００３６】
また、窒化物蛍光体として、Ｅｕを含有するＣＡＳＮ蛍光体、Ｅｕを含有するＳＣＡＳＮ蛍光体等が挙げられる。
【００３７】
Ｅｕを含有するＣＡＳＮ蛍光体（窒化物蛍光体の一例）は、例えば、式ＣａＡｌＳｉＮ３：Ｅｕ２＋で表され、Ｅｕ２＋を付活剤とし、アルカリ土類ケイ窒化物からなる結晶を母体とする赤色蛍光体をいう。なお、本明細書におけるＥｕを含有するＣＡＳＮ蛍光体の定義では、Ｅｕを含有するＳＣＡＳＮ蛍光体が除かれる。
【００３８】
Ｅｕを含有するＳＣＡＳＮ蛍光体（窒化物蛍光体の一例）は、例えば、式（Ｓｒ，Ｃａ）ＡｌＳｉＮ３：Ｅｕ２＋で表され、Ｅｕ２＋を付活剤とし、アルカリ土類ケイ窒化物からなる結晶を母体とする赤色蛍光体をいう。
【００３９】
以上のとおり蛍光体について複数の具体例を用いて説明したが、可視光を励起する蛍光体であれば、本発明の技術的範囲に含まれる蛍光体は前述の具体例以外の蛍光体であってもよい。
【００４０】
〔２次リフレクタ〕
２次リフレクタ７０は、１次リフレクタ６０が反射した光Ｌを更に反射する、すなわち、光源２０が出射する光Ｌを間接的に反射する機能と、光源２０が出射した光Ｌの一部を直接反射する機能とを有する（図３参照）。この場合、２次リフレクタ７０が反射した光は、カバー部材５０に向けて進行する。
【００４１】
２次リフレクタ７０は、一例として、放物面型のリフレクタとされている。２次リフレクタ７０は、図１及び図３に示されるように、凹面側を光源２０及び１次リフレクタ６０に向けた姿勢で配置されている。なお、２次リフレクタ７０における光Ｌの反射面の面積は、一例として、１次リフレクタ６０における光Ｌの反射面の面積よりも大きい。別の見方をすると、１次リフレクタ６０における光Ｌの反射面の面積は、２次リフレクタ７０における光Ｌの反射面の面積よりも小さい。
【００４２】
〔フィニッシャー〕
フィニッシャー８０は、図３に示されるように、２次リフレクタ７０により反射された光Ｌの光路と１次リフレクタ６０との間（高さ方向における当該光路よりも下側かつ１次リフレクタ６０よりも上側）に配置されている。フィニッシャー８０は、最終的に２次リフレクタ７０に反射されてカバー部材５０を透過する光Ｌ（照射装置１０が外部に照射する光Ｌ）に、２次リフレクタ７０で反射されない光Ｌが入り込まないように、光源２０が出射した光Ｌの一部の通過を遮断する機能を有する。
【００４３】
〔シェード〕
シェード９０は、図３に示されるように、２次リフレクタ７０により反射された光Ｌの光路と光源２０との間（高さ方向における当該光路よりも下側かつ光源２０よりも上側）に配置されている。シェード９０は、光源２０が出射する光Ｌ及び１次リフレクタ６０が反射する光Ｌのうち２次リフレクタ７０に入射する光Ｌの２次リフレクタ７０における到達位置の下限（高さ方向下側の位置）を定める機能を有する。また、シェード９０は、１次リフレクタ６０が反射した光Ｌを更に反射させる機能も有する。なお、シェード９０が反射した光Ｌは、２次リフレクタ７０に入射して２次リフレクタ７０で反射される。
【００４４】
以上が、本実施形態の照射装置１０の機能及び構成についての説明である。
【００４５】
＜本実施形態の照射装置による照射動作＞
次に、本実施形態の照射装置１０による照射動作について図３を参照しながら説明する。
まず、光源２０を作動させる作動スイッチ（図示省略）がオンになると、光源２０への外部電源（図示省略）からの電力の供給が開始され、光源２０から光Ｌが出射される。この場合、光源２０から出射される光Ｌは、光源２０を挟んで支持台３０の反対側に向けて半球状に放射される。以下、放射された光Ｌの進行方向に分けて光Ｌの挙動について説明する。
【００４６】
光源２０から出射された光Ｌの一部は、直接、２次リフレクタ７０に入射する。次いで、光Ｌは、２次リフレクタ７０により反射され、照射方向（Ｘ方向）に沿って進行してカバー部材５０を通過する。この場合にカバー部材５０を通過する光Ｌは２次リフレクタ７０のみで反射されるため、カバー部材５０を通過する光Ｌの波長は光源２０から出射された際の光Ｌの波長と同じままである。
【００４７】
また、光源２０から出射された光Ｌの一部は、１次リフレクタ６０に入射する。この場合、光Ｌは、まず、蛍光体層６６に入射する（図２参照）。そして、光Ｌが蛍光体層６６に分散されている蛍光体に衝突すると、蛍光体が励起して励起光を発する。これに伴い、光Ｌのエネルギーの一部は蛍光体の励起に使われることで、光Ｌのエネルギーの一部が失われる。その結果、光Ｌの波長が変換される（波長変換がなされる）。具体的には、光Ｌの波長は蛍光体が励起して発する励起光の波長にシフトする。例えば、光源２０から出射された光Ｌが白色発光する場合であって蛍光体層６６が赤色蛍光体（ＣＡＳＮ蛍光体）を含む場合、光Ｌの相関色温度が低くなる。次いで、波長変換がなされた光Ｌは、リフレクタ本体６４の凹面（図２参照）で反射される。次いで、反射された光Ｌの一部は、蛍光体層６６を通過して２次リフレクタ７０に入射する。次いで、２次リフレクタ７０に入射した光Ｌは、２次リフレクタ７０により反射され、照射方向（Ｘ方向）に沿って進行してカバー部材５０を通過する。この場合にカバー部材５０を通過する光Ｌは１次リフレクタ６０で波長変換がなされるため、カバー部材５０を通過する光Ｌの波長は光源２０から出射された際の光Ｌの波長から蛍光体が励起して発する励起光の波長にシフトする。
なお、リフレクタ本体６４の凹面で反射された光Ｌの残りの一部は、その後蛍光体層６６を通過してシェード９０に入射し、更にシェード９０で反射されてから、２次リフレクタ７０に入射する。この場合に、２次リフレクタ７０により反射されてカバー部材５０を通過する光Ｌはシェード９０により波長変換がなされることはない。そのため、この場合にカバー部材５０を通過する光Ｌの波長は、１次リフレクタ６０で波長変換がなされた分、光源２０から出射された際の光Ｌの波長から蛍光体が励起して発する励起光の波長にシフトする。
【００４８】
また、光源２０から出射された光Ｌの一部は、１次リフレクタ６０及び２次リフレクタ７０に直接入射することなく、フィニッシャー８０に入射する。フィニッシャー８０に入射した光Ｌは、フィニッシャー８０により進行を遮断される。なお、フィニッシャー８０により進行を遮断された光Ｌは、フィニッシャー８０により反射された後、最終的には２次リフレクタ７０で反射され、照射方向（Ｘ方向）に沿って進行してカバー部材５０を通過する。この場合にカバー部材５０を通過する光Ｌは、１次リフレクタ６０により反射された光Ｌ（波長変換がなされた光Ｌ）と１次リフレクタ６０により反射されなかった光Ｌ（光源２０から出射された際の光Ｌの波長と同じ波長の光Ｌ）とが混在する。
【００４９】
以上のとおり、光源２０が出射した光Ｌ（光源２０が半球状に放射した光Ｌ）は、それぞれ、上記のような複数の光路を経由した結果、カバー部材５０を通過して、蛍光体が発した蛍光とともに光Ｌの束として照射装置１０から照射される。すなわち、本実施形態の照射装置１０では、光源２０が出射した際の光Ｌの束は、光源２０が出射した際の光Ｌの波長と１次リフレクタ６０の蛍光体層６６の蛍光体が励起して発する励起光とを含む光Ｌの束となって照射される。別の見方をすると、光源２０が出射する光Ｌの波長は、１次リフレクタ６０の蛍光体層６６の蛍光体が励起して発する励起光の波長の影響を受け、当該励起光の波長側にシフトする。
【００５０】
そして、光源２０を作動させる作動スイッチがオフになると、光源２０への外部電源からの電力の供給が遮断され、光源２０は光Ｌの出射を停止して、照射装置１０による照射動作が終了する。
【００５１】
以上が、本実施形態の照射装置１０による照射動作についての説明である。
【００５２】
＜本実施形態の効果＞
次に、本実施形態の効果について説明する。
【００５３】
〔第１の効果〕
本実施形態の１次リフレクタ６０は、リフレクタ本体６４における光Ｌの反射面（すなわち入射面）上に光Ｌを励起させる蛍光体を含む蛍光体層６６が設けられている。そのため、光源２０が入射した光Ｌは、リフレクタ本体６４で反射される前後の蛍光体層６６の通過時にエネルギーの一部を蛍光体に与えて（蛍光体が励起するために使って）、２次リフレクタ７０に入射する。
したがって、本実施形態の１次リフレクタ６０は、入射する光Ｌの波長を変換して入射した光Ｌを反射することができる。別言すると、本実施形態の１次リフレクタ６０は、光源２０が出射した光Ｌと異なる波長の光Ｌを反射することができる。これに伴い、本実施形態の照射装置１０は、光源２０が出射した光Ｌと異なる波長の光Ｌを照射することができる。
【００５４】
〔第２の効果〕
本実施形態の場合、蛍光体層６６に含まれる蛍光体は、Ｅｕを含有するα型サイアロン蛍光体、Ｅｕを含有するβ型サイアロン蛍光体、Ｅｕを含有するＣＡＳＮ蛍光体及びＥｕを含有するＳＣＡＳＮ蛍光体からなる群から選ばれる少なくとも一種以上の蛍光体である。そのため、本実施形態の１次リフレクタ６０は、光源２０が出射する光Ｌが例えば白色系の光Ｌの場合、白色系の光Ｌを、それよりも相関色温度が低い黄色系、赤系等の光Ｌに変換して反射する。
したがって、本実施形態の１次リフレクタ６０は、光源２０が出射する光Ｌを、１次リフレクタ６０の蛍光体層６６の蛍光体の発光色の波長側にシフトすることができる。これに伴い、本実施形態の照射装置１０は、光源２０が出射する光Ｌを、蛍光体層６６の蛍光体の発光色の波長側にシフトして照射することができる。
【００５５】
〔第３の効果〕
例えば、従来技術として知られている１次リフレクタ（図示省略）及び当該１次リフレクタを備える照射装置（図示省略）は、１次リフレクタが本実施形態のリフレクタ本体６４（図２参照）からなる点のみ、本実施形態の場合と異なる。
すなわち、本実施形態は、この従来技術に対して、リフレクタ本体６４の凹面上に蛍光体層６６の薄膜を設けることで、上記の第１及び第２の効果を奏することができるといえる。
したがって、本実施形態の場合、上記の第１及び第２の効果を奏するために、従来技術の各構成要素のレイアウトの変更を必要としない。
【００５６】
〔第４の効果〕
本実施形態の照射装置１０は、光源２０が出射した光Ｌを直接的に反射する１次リフレクタ６０と、光源２０が出射した光Ｌを間接的に反射する、すなわち、１次リフレクタ６０が反射した光Ｌを更に反射する２次リフレクタ７０とを備えている（図１及び図３参照）。また、１次リフレクタ６０における光Ｌの反射面の面積は、２次リフレクタ７０における光Ｌの反射面の面積よりも小さい（図３参照）。
ここで、例えば、１次リフレクタ６０に蛍光体層６６を設けず、２次リフレクタ７０に蛍光体層６６を設けた形態（図示省略、以下、逆の形態という。）であっても、上記の第１〜第３の効果を奏することができる。しかし、上記逆の形態の場合、１次リフレクタ６０における光Ｌの反射面よりも広範囲に蛍光体層６６を設ける必要がある。
したがって、本実施形態の照射装置１０は、上記逆の形態の場合に比べて、蛍光体層６６を設けるための面積を小さくすることができる。すなわち、本実施形態の照射装置１０は、上記逆の形態の場合に比べて、低コストで上記の第１及び第２の効果を奏することができる。
なお、本効果について本実施形態を上記逆の形態と比較して説明したが、上記逆の形態は、上記第１〜第３の効果を奏する構成といえる（第３の効果の説明においてはリフレクタ本体６４を２次リフレクタ７０に読み替える）。したがって、上記逆の形態も、本発明の技術的範囲に属するといえる。この場合、１次リフレクタ６０は他のリフレクタの一例、蛍光体層６６が設けられた２次リフレクタ７０はリフレクタの一例となる。
【００５７】
以上が、本実施形態の効果についての説明である。
【００５８】
以上のとおり、本実施形態を本発明の一例として説明したが、本発明は本実施形態に限定されるものではない。本発明の技術的範囲には、例えば、下記のような形態（変形例）も含まれる。
【００５９】
例えば、本実施形態の照射装置１０は、図１及び図３に示されるように、１次リフレクタ６０及び２次リフレクタ７０を備えているとして説明した。しかしながら、例えば、図４に示される第１変形例の照射装置１０Ａのように、１次リフレクタ６０及び２次リフレクタ７０を、リフレクタ６０Ａに換えた形態としてもよい。なお、この場合、リフレクタ６０Ａは、リフレクタ本体６４Ａと、蛍光体層６６とを備え、リフレクタ本体６４Ａにおける光Ｌの反射面側に蛍光体層６６が設けられていればよい。
【００６０】
また、本実施形態の光源２０は、一例としてＬＥＤ光源であるとして説明した。しかしながら、光源２０が出射する光Ｌが蛍光体層６６に含まれる蛍光体を励起させることができれば、光源２０はＬＥＤ光源でなくてもよい。
【００６１】
また、本実施形態の照射装置１０は、図１及び図３に示されるように、フィニッシャー８０及びシェード９０を備えているとして説明した。しかしながら、フィニッシャー８０及びシェード９０の一方又は両方は、本発明の照射装置における必須の構成要素ではない。
【００６２】
また、本実施形態の第３の効果は、本実施形態の場合、上記の第１及び第２の効果を奏するために、従来技術の各構成要素のレイアウトの変更を必要としないことを説明した。したがって、例えば、本実施形態の１次リフレクタ６０を、上記の従来技術の照射装置の交換部品としてもよい。この点については、上記逆の形態の場合及び上記第１変形例の場合についても同様である。
【００６３】
また、本実施形態及び前述の変形例以外に、図５、図６Ａ及び図６Ｂに示される第２変形例の照射装置１０Ｂでもよい。
以下、本変形例の照射装置１０Ｂにおける本実施形態との相違点について説明する。
＜構成上の相違点＞
本変形例における本実施形態との相違点は、以下のとおりである。
〔１次リフレクタ及び２次リフレクタ〕
１次リフレクタ６０Ｂは、一例として、装置幅方向（Ｙ方向）に沿った長尺体とされている（図６Ａ及び図６Ｂ参照）。
１次リフレクタ６０Ｂの長手方向の一方側（図６Ａ、６Ｂ中では左側）の部分は第１リフレクタ６０Ｂ１、他方側（図６Ａ、６Ｂ中では右側）の部分は第２リフレクタ６０Ｂ２とされている（図６Ｂ参照）。
第１リフレクタ６０Ｂ１は、リフレクタ本体６４Ｂ（反射体の一例）の一部のみで構成されている。すなわち、第１リフレクタ６０Ｂ１の反射面（第１反射部の一例）には蛍光体層がない。
第２リフレクタ６０Ｂ２は、リフレクタ本体６４Ｂの残りの一部（リフレクタ本体６４Ｂから第１リフレクタ６０Ｂ１が備えるリフレクタ本体６４Ｂの一部を除いた部分）と、蛍光体層６６Ｂ（第２反射部の一例）とを備えている。蛍光体層６６Ｂは、リフレクタ本体６４Ｂの凹面上に設けられた薄層とされ、一例としてリフレクタ本体６４Ｂの凹面の長手方向に一方側の領域を被覆している（図６Ａ及び図６Ｂ参照）。なお、以上のとおりであるから、第２リフレクタ６０Ｂ２と第１リフレクタ６０Ｂ１とは、互いに共通のリフレクタ本体６４Ｂを有する。
〔移動部〕
本変形例の照射装置１０Ｂは、前述の第１リフレクタ６０Ｂ１及び第２リフレクタ６０Ｂ２に加えて、移動部６８（図５及び図６Ａ参照）を備えている。移動部６８は、第１リフレクタ６０Ｂ１及び第２リフレクタ６０Ｂ２を移動させる機能を有する。具体的には、移動部６８は、第１リフレクタ６０Ｂ１及び第２リフレクタ６０Ｂ２の一方が反射位置（図６Ａのように、光源２０に対する対向位置を意味する。）に配置されかつ他方が反射位置と異なる非反射位置に配置されている第１状態と、一方が非反射位置に配置されかつ他方が反射位置に配置されている第２状態とを切り替え可能とされている。本変形例では便宜的に図６Ａ、６Ｂの左側に示す１次リフレクタ６０Ｂの状態を「第１状態」、右側に示す１次リフレクタ６０Ｂの状態を「第２状態」として説明する。第１状態では、光源２０が第２リフレクタ６０Ｂ２（蛍光体層６６Ｂ）に対向する位置にある。第２状態では、光源２０が第１リフレクタ６０Ｂ１に対向する位置にある。本変形例の移動部６８は、一例として、ＬＭガイド（ＬＭガイド本体６８Ａ及びリフレクタ本体６４Ｂに固定されているガイドレール６８Ｂ）と、ＬＭガイド本体６８Ａを駆動させる駆動源（図示省略）とを有し、Ｙ方向に沿って第１リフレクタ６０Ｂ１及び第２リフレクタ６０Ｂ２を直進移動可能としている。
＜本変形例の動作及び効果＞
本変形例によれば、移動部６８によりリフレクタ本体６４Ｂを往復移動させて反射位置に配置されるリフレクタを切り替えることで、すなわち第１状態と第２状態とを切り替えることで、同一の光源２０であっても色変換が可能な照射装置１０Ｂを提供することができる。例えば、蛍光体層６６Ｂが赤系の蛍光体層である場合、光源２０と対向するリフレクタを、蛍光体層を有さない第１リフレクタ６０Ｂ１（第２状態）から蛍光体層６６Ｂを有する第２リフレクタ６０Ｂ２（第１状態）に切り替えることで、照射装置１０Ｂをフォグランプとして利用することができる。
また、照射装置１０Ｂを車両のヘッドランプに使用した場合であって、蛍光体層６６Ｂの蛍光体により光源２０が出射する光Ｌがより長い波長の光に変換される（波長がシフトさせる）構成の場合には、以下のようにすることができる。すなわち、蛍光体層がない第１リフレクタ６０Ｂ１により光源２０が出射する光Ｌを反射させる状態の照射装置１０Ｂを、車両の走行空間に霧が発生していない（又は霧が発生していても運転者の視界の妨げにならない）通常時に使用し、蛍光体層６６Ｂがある第２リフレクタ６０Ｂ２により光源２０が出射する光Ｌを反射させる状態の照射装置１０Ｂを、車両の走行空間に（運転者の視界の妨げになるほどの）霧が発生している異常時に使用させるようにしてもよい。
この構成の場合、異常時に照射装置１０Ｂから照射される光Ｌは、通常時の場合に比べて、長波長成分が付加されているため、霧に対して有効となる。
その他の効果は、本実施形態の効果と同様である。
以上が、第２変形例についての説明であるが、第１リフレクタ６０Ｂ１と第２リフレクタ６０Ｂ２とを逆の関係（配置、蛍光体層６６Ｂの有無等）としてもよい。
【００６４】
また、第２変形例の照射装置１０Ｂの変形例（第３変形例）として、以下の照射装置（図示省略）でもよい。具体的には、第２変形例の第１リフレクタ６０Ｂ１が、第２リフレクタ６０Ｂ２の蛍光体層６６Ｂの蛍光体（第２蛍光体の一例）の励起光の発光ピーク波長と異なる発光ピーク波長を有する蛍光体（第１蛍光体の一例）を含む蛍光体層（第１蛍光体層）を備えるようにする。この場合、第２蛍光体の励起光の発光ピーク波長は、第１蛍光体の励起光の発光ピーク波長と異なる。
＜本変形例の動作及び効果＞
本変形例によれば、移動部６８によりリフレクタ本体６４Ｂを往復移動させて反射位置に配置されるリフレクタを切り替えることで、同一の光源２０であっても色変換が可能な照射装置を提供することができる。
その他の効果は、本実施形態の効果と同様である。
【００６５】
また、第２変形例の照射装置１０Ｂ及び第３変形例の照射装置の変形例として、図７Ａ及び図７Ｂの第４変形例の照射装置１０Ｃでもよい。
以下、本変形例の照射装置１０Ｃにおける第２変形例との相違点について説明する。
＜構成上の相違点＞
本変形例における第３変形例との相違点は、以下のとおりである。
〔１次リフレクタ及び２次リフレクタ〕
１次リフレクタ６０Ｃは、一例として、扇形の中心角側の部分を円状にくり抜いたような帯状とされている（図７Ａ及び図７Ｂ参照）。
１次リフレクタ６０Ｃの周方向の一方側（図中左側）の部分は第１リフレクタ６０Ｃ１、他方側（図中左側）の部分は第２リフレクタ６０Ｃ２とされている（図７Ｂ参照）。
第１リフレクタ６０Ｃ１は、リフレクタ本体６４Ｃ（反射体の一例）の一部のみで構成されている。すなわち、第１リフレクタ６０Ｃ１の反射面（第１反射部の一例）には蛍光体層がない。
第２リフレクタ６０Ｃ２は、リフレクタ本体６４Ｃの残りの一部（リフレクタ本体６４Ｃから第１リフレクタ６０Ｃ１が備えるリフレクタ本体６４Ｃの一部を除いた部分）と、蛍光体層６６Ｃ（第２反射部の一例）とを備えている。蛍光体層６６Ｃは、リフレクタ本体６４Ｃの凹面上に設けられた薄層とされ、一例としてリフレクタ本体６４Ｃの凹面の長手方向に一方側の領域を被覆している（図７Ｂ参照）。なお、以上のとおりであるから、第２リフレクタ６０Ｃ２と第１リフレクタ６０Ｃ１とは、互いに共通のリフレクタ本体６４Ｃを有する。
〔移動部〕
本変形例の照射装置１０Ｃは、前述の第１リフレクタ６０Ｃ１及び第２リフレクタ６０Ｃ２に加えて、移動部６９（図７Ａ及び図７Ｂ参照）を備えている。移動部６９は、第１リフレクタ６０Ｃ１及び第２リフレクタ６０Ｃ２を移動させる機能を有する。具体的には、移動部６９は、第１リフレクタ６０Ｃ１及び第２リフレクタ６０Ｃ２の一方が反射位置（図７Ａのように、光源２０に対する対向位置を意味する。）に配置されかつ他方が反射位置と異なる非反射位置に配置されている第１状態と、一方が非反射位置に配置されかつ他方が反射位置に配置されている第２状態とを切り替え可能とされている。本変形例の移動部６９は、一例として、回転軸６９Ａと、回転軸６９Ａとリフレクタ本体６４Ｃを連結する連結棒６９Ｂと、回転軸６９Ａを軸周りに回転駆動させる駆動源（図示省略）とを有し、駆動源を駆動させることで第１リフレクタ６０Ｃ１と第２リフレクタ６０Ｃ２とが並ぶ円周方向に沿ってリフレクタ本体６４Ｃを回転可能としている。
＜本変形例の動作及び効果＞
本変形例によれば、移動部６９によりリフレクタ本体６４Ｃを往復移動させて反射位置に配置されるリフレクタを切り替えることで、同一の光源２０であっても色変換が可能な照射装置１０Ｃを提供することができる。例えば、蛍光体層６６Ｃが赤系の蛍光体層である場合、蛍光体層を有さない第１リフレクタ６０Ｃ１から蛍光体層６６Ｃを有する第２リフレクタ６０Ｃ２に切り替えることで、照射装置１０Ｃをフォグランプとして利用することができる。
その他の効果は、本実施形態の効果と同様である。
以上が、第３変形例についての説明であるが、第１リフレクタ６０Ｃ１と第２リフレクタ６０Ｃ２とを逆の関係（配置、蛍光体層６６Ｃの有無等）としてもよい。また、本変形例を更に第４変形例のように変形させてもよい。
【００６６】
この出願は、２０１９年２月４日に出願された日本出願特願２０１９−０１７７７５号を基礎とする優先権を主張し、その開示の全てをここに取り込む。
【符号の説明】
【００６７】
１０ 照射装置
１０Ａ 照射装置
１０Ｂ 照射装置
１０Ｃ 照射装置
２０ 光源
３０ 支持台
４０ 筐体
５０ カバー部材
６０ １次リフレクタ（リフレクタ又は他のリフレクタの一例）
６０Ａ リフレクタ
６０Ｂ １次リフレクタ（リフレクタ又は他のリフレクタの一例）
６０Ｂ１ 第１リフレクタ
６０Ｂ２ 第２リフレクタ
６０Ｃ １次リフレクタ（リフレクタ又は他のリフレクタの一例）
６０Ｃ１ 第１リフレクタ
６０Ｃ２ 第２リフレクタ
６２ 凹面
６４ リフレクタ本体
６４Ａ リフレクタ本体
６４Ｂ リフレクタ本体（反射体の一例）
６４Ｃ リフレクタ本体（反射体の一例）
６６ 蛍光体層
６６Ｂ 蛍光体層
６６Ｃ 蛍光体層
６８ 移動部
６８Ａ ＬＭガイド本体
６８Ｂ ガイドレール
６９ 移動部
６９Ａ 回転軸
６９Ｂ 連結棒
７０ ２次リフレクタ（他のリフレクタ又はリフレクタの一例）
８０ フィニッシャー
９０ シェード
Ｌ 光
【図１】
2020162260.tif 000003
【図２】
2020162260.tif 000004
【図３】
2020162260.tif 000005
【図４】
2020162260.tif 000006
【図５】
2020162260.tif 000007
【図６Ａ】
2020162260.tif 000008
【図６Ｂ】
2020162260.tif 000009
【図７Ａ】
2020162260.tif 000010
【図７Ｂ】
2020162260.tif 000011
【国際調査報告】
2020162260.tif 000012
2020162260.tif 000013
2020162260.tif 000014
2020162260.tif 000015